(57)【要約】【課題】公衆浴場施設、特に、大規模公衆浴場施設においてグループ内での待ち合わせなどに便利な利用者連絡システムを提供する。【解決手段】無線ＩＣタグ１１１を有する腕輪１１０と、無線ＩＣタグ１１１のＩＤを取得する無線センサ１３１〜１３５と、ＩＤとグループコードとが関連づけられたデータテーブルを有するサーバ１６０と、同一のグループコードを有する他の利用者に当該利用者の所在地コードを送信する送信機１４０とを有する。腕輪１１０には、無線受信部１１２及び表示部１１３が設けられており、所在地コードを受信すると表示部１１３に所在地が表示される。これにより、公衆浴場施設が男性専用の利用エリアと女性専用の利用エリアに分かれているために相互に連絡が取れない場合であっても、グループ内で所在地を互いに知らせ合うことが可能となる。【選択図】図１
2008040634.tif 000002
【特許請求の範囲】
【請求項１】
公衆浴場施設における利用者連絡システムであって、
複数の利用者にグループコード又はこれに関連づけられたＩＤを担持させる情報担持手段と、前記グループコード又は前記ＩＤを取得することにより、前記公衆浴場内における所定の利用者の所在地コードを特定し、特定した前記所在地コードを前記所定の利用者と同一のグループに属する他の利用者に通知するグループ通知手段と、通知された前記所在地コードに関する情報を前記他の利用者に表示する表示手段とを備え、
前記情報担持手段及び前記表示手段は、前記複数の利用者に対してそれぞれ装着可能に構成された装着具内に組み込まれていることを特徴とする利用者連絡システム。
【請求項２】
前記装着具が腕輪であることを特徴とする請求項１に記載の利用者連絡システム。
【請求項３】
前記表示手段がランプであることを特徴とする請求項１又は２に記載の利用者連絡システム。
【請求項４】
前記装着具に設けられた表示スイッチをさらに備え、前記表示手段は前記表示スイッチによって活性化されることを特徴とする請求項１乃至３のいずれか一項に記載の利用者連絡システム。
【請求項５】
前記装着具には、前記所在地コードを受信するための無線受信部がさらに組み込まれていることを特徴とする請求項１乃至４のいずれか一項に記載の利用者連絡システム。
【請求項６】
複数の無線センサをさらに備え、前記グループ通知手段は、どの無線センサが前記グループコード又は前記ＩＤを取得したかによって前記所在地コードを特定することを特徴とする請求項１乃至５のいずれか一項に記載の利用者連絡システム。
【請求項７】
前記情報担持手段は、前記グループコード又は前記ＩＤを有する無線ＩＣタグを含むことを特徴とする請求項６に記載の利用者連絡システム。
【請求項８】
前記無線ＩＣタグは前記ＩＤを有しており、前記グループ通知手段は、前記ＩＤと前記グループコードとが関連づけられたデータテーブルを参照することにより前記グループコードを特定することを特徴とする請求項７に記載の利用者連絡システム。
【請求項９】
前記公衆浴場施設は、少なくとも浴室、脱衣場及び休憩所を有しており、前記所在地コードは、前記浴室、脱衣場及び休憩所の少なくとも一つに関する情報を含んでいることを特徴とする請求項１乃至８のいずれか一項に記載の利用者連絡システム。
【請求項１０】
前記公衆浴場施設の少なくとも一部は、男性専用の利用エリアと女性専用の利用エリアに分かれており、一方の利用エリアにて取得した前記所在地コードを他方のエリアに存在する利用者に報知可能に構成されていることを特徴とする請求項１乃至９のいずれか一項に記載の利用者連絡システム。
【発明の詳細な説明】
【技術分野】
【０００１】
本発明は公衆浴場施設における利用者連絡システムに関し、特に、家族や友人などのグループ内における所在地コードの授受が可能な利用者連絡システムに関する。
【背景技術】
【０００２】
近年、大規模な公衆浴場施設（いわゆるスーパー銭湯）が各地に建設され、多くの集客をもたらしている。このような大規模公衆浴場施設は、通常の公衆浴場施設に比べて数多くの入浴設備（サウナ、露天風呂、打たせ湯、岩風呂、足湯など）を備えており、このため利用者の滞在時間も通常の公衆浴場施設に比べて非常に長いという特徴がある。また、大規模公衆浴場施設は、家族や友人などのグループ単位での来客が非常に多いという特徴も有している。
【０００３】
しかしながら、大規模公衆浴場施設は、男性専用の利用エリア（男湯）と女性専用の利用エリア（女湯）に分かれており、相互に行き来することができないことから、グループ内での待ち合わせなどに不便が生じることがある。例えば、利用者が夫婦である場合、風呂上がりに休憩所で待ち合わせようとしても、相互に連絡が取れないことから、夫婦の一方が休憩所で長く待たされるなどの不都合が生じていた。
【０００４】
このような不都合を解消するためには、施設の各所に置き時計を設置したり、各利用者に防水型の腕時計などを貸与する方法などが考えられるが、大規模公衆浴場施設では時間を忘れてリラックスしたいと考える利用者が少なくないため、このような方法は必ずしも望ましくない。しかも、上記の方法では、ある利用者（例えば夫）が浴室を出るのを待ってから、当該グループに属する他の利用者（例えば妻）が浴室を出るといった形の待ち合わせ方法を採ることができず、結局はあらかじめ決めた待ち合わせ時間に縛られてしまうことになる。
【０００５】
また、携帯電話機などの通信機器を浴室に持ち込む方法も考えられるが、通常の携帯電話機は水分に対して非常に弱いため、これを浴室に持ち込むことは現実的でない。しかも、携帯電話機の持ち込みは他の利用者にとって非常に迷惑であると考えられる。特に、近年の携帯電話機にはカメラ機能が搭載されていることが多く、この点からも、公衆浴場での利用は不適切であると言える。
【０００６】
このような問題を解決すべく、特許文献１には、ロッカー鍵に音声出力部とＩＤを設けるとともに、公衆浴場施設の各所に無線親機を設けることにより、利用者の所在地を同一グループに属する他の利用者に音声で伝える方法が提案されている。
【特許文献１】特開２００３−３３７８５５号公報
【発明の開示】
【発明が解決しようとする課題】
【０００７】
しかしながら、特許文献１に記載された方法は、ロッカー鍵自体に音声出力部などを設けていることから、利用者とロッカー鍵とが分離すると正しく機能しないという問題があった。例えば、グループ内に子供が含まれている場合は、紛失などを防ぐために子供のロッカー鍵を保護者が所持することが考えられ、この場合、子供の所在地については検出不能となってしまう。
【０００８】
また、特許文献１に記載された方法では、音声によって他の利用者の所在地を自動的に通知していることから、グループ外の利用者にとって迷惑となることが考えられる。また、当該利用者も落ち着いて入浴できないといった不満が生じることが考えられる。
【０００９】
したがって、本発明の目的は、公衆浴場施設、特に、大規模公衆浴場施設においてグループ内での待ち合わせなどに便利な改良された利用者連絡システムを提供することである。
【００１０】
また、本発明の他の目的は、利用者の所在地をより確実に検出可能な利用者連絡システムを提供することである。
【００１１】
また、本発明のさらに他の目的は、グループ外の利用者にとって迷惑とならず、且つ、当該利用者の落ち着いた入浴を妨げることのない利用者連絡システムを提供することである。
【課題を解決するための手段】
【００１２】
本発明による利用者連絡システムは、公衆浴場施設における利用者連絡システムであって、複数の利用者にグループコード又はこれに関連づけられたＩＤを担持させる情報担持手段と、グループコード又はＩＤを取得することにより、公衆浴場内における所定の利用者の所在地コードを特定し、特定した所在地コードを前記所定の利用者と同一のグループに属する他の利用者に通知するグループ通知手段と、通知された所在地コードに関する情報を前記他の利用者に表示する表示手段とを備え、情報担持手段及び表示手段は、複数の利用者に対してそれぞれ装着可能に構成された装着具内に組み込まれていることを特徴とする。
【００１３】
本発明によれば、所定の利用者の所在地を当該グループに属する他の利用者に通知していることから、公衆浴場施設が男性専用の利用エリアと女性専用の利用エリアに分かれているために相互に連絡が取れない場合であっても、グループ内で所在地を互いに知らせ合うことが可能となる。
【００１４】
また、情報担持手段及び表示手段が装着具内に組み込まれていることから、当該利用者との分離が確実に防止される。したがって、利用者が子供であっても、紛失により所在地の検出が不能になるといった可能性がほとんどない。装着具としては腕輪を用いることができる。
【００１５】
また、表示手段によって所在地コードを視覚的に表示していることから、グループ外の利用者にとって迷惑となることがない。また、装着具に設けられた表示スイッチによって表示手段が活性化される構成とすれば、当該利用者の落ち着いた入浴を妨げることもない。表示手段としては、ランプを用いることができる。
【００１６】
装着具には所在地コードを受信するための無線受信部がさらに組み込まれていることが好ましい。これによれば、同一グループに属する他の利用者の所在地コードをリアルタイムに受信することが可能となる。
【００１７】
本発明による利用者連絡システムは複数の無線センサをさらに備えることが好ましく、グループ通知手段は、どの無線センサがグループコード又はＩＤを取得したかによって所在地コードを特定することが好ましい。また、情報担持手段は、グループコード又はＩＤを有する無線ＩＣタグを含むことが好ましい。これによれば、簡単且つ安価に情報を担持させることが可能となる。ここで、無線ＩＣタグがグループコードではなくＩＤを有している場合、グループ通知手段は、ＩＤとグループコードとが関連づけられたデータテーブルを参照することによりグループコードを特定すればよい。
【００１８】
公衆浴場施設は、少なくとも浴室、脱衣場及び休憩所を有しており、所在地コードは、浴室、脱衣場及び休憩所の少なくとも一つに関する情報を含んでいることが好ましい。これによれば、同一グループに属する他の利用者の所在地をより具体的に知ることが可能となる。
【発明の効果】
【００１９】
このように、本発明によれば、公衆浴場施設、特に、大規模公衆浴場施設において、グループ内で所在地を互いに知らせ合うことが可能となる。このため、グループ内での待ち合わせなどで生じる不都合を解消することが可能となる。また、装着具を用いていることから、当該利用者との分離を確実に防止することも可能となる。さらに、同一グループに属する他の利用者の所在地を視覚的に報知していることから、グループ外の利用者にとって迷惑となることもない。
【発明を実施するための最良の形態】
【００２０】
以下、添付図面を参照しながら、本発明の好ましい実施の形態について詳細に説明する。
【００２１】
図１は、本発明の好ましい実施形態による利用者連絡システムの主要部の構成を模式的に示す図である。
【００２２】
図１に示すように、本実施形態による利用者連絡システム１００は、利用者が装着する腕輪１１０と、腕輪１１０のＩＤを読み取るタグリーダ１２０及び複数の無線センサ１３１〜１３５と、腕輪１１０に所在地コードを送信するための送信機１４０と、管理者により操作される操作端末１５０と、データの蓄積及び処理を行うサーバ１６０とを備えている。腕輪１１０を除く各構成要素は、ネットワーク１９０を介して相互に接続されている。
【００２３】
腕輪１１０は、ＩＤを保持しこれを無線送信可能な無線ＩＣタグ１１１と、所在地コードを受信するための無線受信部１１２と、受信した所在地コードに関する情報を表示する表示部１１３と、表示部１１３を活性化させるための表示スイッチ１１５とを含んでいる。
【００２４】
図２は、腕輪１１０の外観の一例を示す概略図である。
【００２５】
図２に示す例では、腕輪１１０は腕時計のような形状を有しており、脱衣場にあるロッカー鍵１１９が内蔵されている。このロッカー鍵１１９は、腕輪１１０の内部に収容することが可能であり、ロッカーを開閉する際には、図２に示すようにロッカー鍵１１９を引き出して使用する。腕輪１１０は、利用者が各自の腕に装着することにより、利用者との物理的な分離が確実に防止される。
【００２６】
腕輪１１０に設けられた表示部１１３には、「浴室」と書かれたランプ１１３ａと、「脱衣場」と書かれたランプ１１３ｂと、「休憩所」と書かれたランプ１１３ｃが設けられている。これらは、同一グループに属する他の利用者の所在地を示すランプである。これらのランプ１１３ａ〜１１３ｃは、利用者が表示ボタン１１５を押すことによって活性化する。したがって、表示ボタン１１５を押さなければランプ１１３ａ〜１１３ｃは点灯しない。尚、腕輪１１０には無線ＩＣタグ１１１及び無線受信部１１２も備えられているが、これらは腕輪１１０の内部に組み込まれているため、外観上これらを視認することはできない。
【００２７】
また、サーバ１６０は、グループ化処理部１６１、グループ通知部１６２及び記憶部１６３を備えている。サーバ１６０としては、一般的なコンピュータを用いることができる。したがって、グループ化処理部１６１やグループ通知部１６２がそれぞれ独立したハードウェアである必要はなく、コンピュータが所定のプログラムを実行することによって実現される機能であっても構わない。
【００２８】
図３は、利用者連絡システム１００の適用が好適な大規模公衆浴場施設の構成を模式的に示す図である。
【００２９】
図３に示す大規模公衆浴場施設２００は、浴室２０１，２０２、脱衣場２１１，２１２及び休憩所２２０によって構成されている。
【００３０】
浴室２０１は男性専用の利用エリア（男湯）であり、浴室２０２は女性専用の利用エリア（女湯）である。いずれの浴室２０１，２０２にも、各種の入浴設備２３０（サウナ、露天風呂、打たせ湯、岩風呂、足湯など）及び洗い場２４０が設けられている。また、男湯である浴室２０１には図１に示した無線センサ１３１が配置されており、女湯である浴室２０２には図１に示した無線センサ１３２が配置されている。
【００３１】
脱衣場２１１，２１２も、それぞれ男性専用の利用エリア及び女性専用の利用エリアであり、それぞれ無線センサ１３３，１３４が配置されている。脱衣場２１１，２１２には、ロッカー２５０及びトイレ２６０が設けられている。また、休憩所２２０は男女共用のエリアであり、通常はここで待ち合わせが行われる。休憩所２２０には無線センサ１３５が配置されている。
【００３２】
無線センサ１３１〜１３５は、腕輪１１０に組み込まれた無線ＩＣタグ１１１の情報（ＩＤ）を読み取るために設けられており、これにより、腕輪１１０を着けた利用者が浴室２０１，２０２、脱衣場２１１，２１２及び休憩所２２０のどこにいるのか検出することができる。
【００３３】
また、浴室２０１，２０２及び休憩所２２０には、図１に示した送信機１４０が配置されている。送信機１４０は、腕輪１１０に組み込まれた無線受信部１１２に対し、所在地コードを送信するために設けられている。送信機１４０の設置場所は浴室２０１，２０２及び休憩所２２０に限定されず、利用者が所在地コードを正しく受信可能であれば、いずれの場所に配置しても構わない。また、その設置数についても限定されない。
【００３４】
以上が本実施形態による利用者連絡システム１００の構成である。
【００３５】
次に、本実施形態による利用者連絡システム１００の動作について、グループ化処理と所在地通知処理に分けて説明する。
【００３６】
図４は、利用者連絡システム１００によるグループ化処理を説明するためのフローチャートである。
【００３７】
まず、大規模公衆浴場施設２００の管理者は、図１に示した操作端末１５０を操作することにより、グループ化処理を開始させる（ステップＳ１１）。これに応答して、グループ化処理部１６１はユニークなグループコードを生成する（ステップＳ１２）。次に、管理者は、同一グループに属する利用者と同数の腕輪１１０を用意し、タグリーダ１２０によって腕輪１１０のＩＤを読み取る（ステップＳ１３）。上述の通り、腕輪１１０のＩＤは無線ＩＣタグ１１１によって担持されている。タグリーダ１２０によって読み取られたＩＤは、ネットワーク１９０を介してサーバ１６０に送信され、グループ化処理部１６１によってグループコードと関連づけられる（ステップＳ１４）。関連づけられたＩＤとグループコードは、記憶部１６３に保存されたテータテーブルに追記される（ステップＳ１５）。
【００３８】
このような操作を用意した腕輪１１０全てについて行う。これにより、読み取られた全てのＩＤには、互いに同一のグループコードが関連づけられる。このようにして、全ての腕輪１１０に対して処理が終わると（ステップＳ１６：ＮＯ）、管理者は操作端末１５０を操作することによって、一連のグループ化処理を終了させる（ステップＳ１７）。
【００３９】
図５は、記憶部１６３に保存されるデータテーブルの構造を示す図である。
【００４０】
図５に示すように、データテーブル１６３ａは、ＩＤとグループコードが関連づけられた構造を有している。図５に示す例では、ＩＤが「１２３４５６」である腕輪１１０とＩＤが「１２３ＡＦＦ」である腕輪１１０に同じグループコードＧ０１が割り当てられており、これにより上記２つの腕輪１１０がグループ化されたことになる。
【００４１】
以上のグループ化処理が完了すると、利用者は腕輪１１０を腕に装着し、浴室２０１、脱衣場２０２及び休憩所２０３を自由に利用する。したがって、男性であれば男性専用の利用エリア（脱衣場２１１や浴室２０１）に移動し、女性であれば女性専用の利用エリア（脱衣場２１２や浴室２０２）に移動する。
【００４２】
図６は、利用者連絡システム１００による所在地通知処理を説明するためのフローチャートである。
【００４３】
まず、大規模公衆浴場施設２００の管理者は、図１に示す操作端末１５０を操作することによって、所在地通知処理を開始させる（ステップＳ２１）。この動作は、グループ化処理（図４参照）の完了に連動して自動的に行われるよう構成しても構わない。所在地通知処理が開始すると、無線センサ１３１〜１３５によってＩＤのスキャンを行う（ステップＳ２２）。
【００４４】
読み取られたＩＤはネットワーク１９０を介してサーバ１６０へ送信され、読み取り元である無線センサ１３１〜１３５の位置に応じた所在地コードがグループ通知部１６２によって生成される（ステップＳ２３）。例えば、読み取られたＩＤが図５に示す「１２３４５６」であり、読み取り元の無線センサが浴室２０１に設置された無線センサ１３１であれば、所在地コードとして浴室２０１を示すコード「２０１」が生成される。
【００４５】
次に、グループ通知部１６２は、読み取られたＩＤに対応するグループコードと同じグループコードが割り当てられたＩＤを抽出する（ステップＳ２４）。例えば、読み取られたＩＤが図５に示す「１２３４５６」であれば、対応するグループコード「Ｇ０１」が割り当てられたＩＤ「１２３ＡＦＦ」が抽出される。
【００４６】
そして、グループ通知部１６２は、ステップＳ２３にて生成した所在地コード及びステップＳ２４にて抽出したＩＤを送信機１４０を介して送信する（ステップＳ２５）。送信された所在地コード及びＩＤは、腕輪１１０に設けられた無線受信部１１２によって受信され、無線ＩＣタグ１１１のＩＤと一致すると（ステップＳ２６：ＹＥＳ）、表示部１１３への表示が許可される（ステップＳ２７）。例えば、所在地コードが浴室２０１を示すコード「２０１」であれば、「浴室」と書かれたランプ１１３ａが点灯可能な状態となる。但し、この状態ではランプ１１３ａは点灯せず、表示スイッチ１１５を押下することによって初めて点灯する。これにより、同じグループに属する利用者が浴室にいることが分かる。
【００４７】
そして、管理者による操作端末１５０の操作によって、所在地通知処理の終了が指示されなければ（ステップＳ２８：ＮＯ）、ステップＳ２２に戻ってＩＤのスキャンを行う。一方、所在地通知処理の終了が指示されれば（ステップＳ２８：ＹＥＳ）、所在地通知処理が終了する。
【００４８】
このように、本実施形態によれば、同一のグループに属する他の利用者の所在地をリアルタイムに知ることができる。このため、男性専用の利用エリアと女性専用の利用エリアに分かれているために相互に連絡が取れない場合であっても、グループ内で所在地を互いに知らせ合うことが可能となる。このため、グループ内での待ち合わせなどで生じる不都合を解消することが可能となる。
【００４９】
また、本実施形態では、無線ＩＣタグ１１１を腕輪１１０に組み込んでいることから、利用者との分離を確実に防止することが可能となる。したがって、利用者が子供であっても、紛失するといった可能性がほとんどない。
【００５０】
さらに、本実施形態では、同一のグループに属する他の利用者の所在地を視覚的に報知していることから、グループ外の利用者にとって迷惑となることがない。また、本実施形態では、表示スイッチ１１５の押下によって表示部１１３を活性化させていることから、当該利用者の落ち着いた入浴を妨げることもない。
【００５１】
尚、上記実施形態では、腕輪１１０に３つのランプ１１３ａ、１１３ｂ、１１３ｃが設けられているが、これらを複数セット設けることも可能である。
【００５２】
図７は、他の例による腕輪１１０の外観を示す概略図である。
【００５３】
図７に示す腕輪１１０の表示部１１３には、「浴室」と書かれたランプ１１３ａと、「脱衣場」と書かれたランプ１１３ｂと、「休憩所」と書かれたランプ１１３ｃがそれぞれ４つ設けられている。これら４セットのランプは、それぞれ異なる利用者の所在地コードを表示するためのランプである。したがって、図７に示す腕輪１１０を用いれば、グループ化される利用者の数が５人までであれば、各人の所在地を個別に知ることが可能となる。
【００５４】
図８は、さらに他の例による腕輪１１０の外観を示す概略図である。
【００５５】
図８に示す腕輪１１０の表示部１１３には、それぞれ利用者Ａ、利用者Ｂ、利用者Ｃと書かれたランプ１１４ａ、１１４ｂ、１１４ｃが設けられている。これらのランプは、それぞれ対応する利用者の所在地コードを表示するためのランプであり、例えば、赤色に点灯している場合には当該利用者が「浴室」にいることを示し、青色に点灯している場合には当該利用者が「脱衣場」にいることを示し、消灯している場合には当該利用者が「休憩所」にいることを示すことができる。このように、表示部１１３には所在地ごとにランプを設ける必要はなく、利用者ごとにランプを設けることも可能である。
【００５６】
図９は、さらに他の例による腕輪１１０の外観を示す概略図である。
【００５７】
図９に示す腕輪１１０の表示部１１３は、液晶パネル、ＥＬパネルなどキャラクタ表示が可能な平面ディスプレイによって構成されている。平面ディスプレイである表示部１１３には、同一グループに属する他の利用者の所在地が文字などによって表示される。このように、表示部１１３による表示方法としては、ランプである必要はない。
【００５８】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００５９】
例えば、上記実施形態では、無線センサ１３１〜１３５を浴室や脱衣場などに設置し、そこにいる利用者のＩＤを読み取っているが、本発明においてこのような構成は必須でない。したがって、図１０に示すように、浴室２０１，２０２と脱衣場２１１，２１２との間のゲート２７１，２７２や、脱衣場２１１，２１２と休憩所２３０との間のゲート２７３，２７４に無線センサを設け、これによって各利用者の所在地を検出することも可能である。この場合、利用者がゲート２７１〜２７４を通過する際にＩＤが読み取られることになる。本例によれば、腕輪１１０に設けられた無線ＩＣタグ１１１が低出力であっても、各利用者の所在地を検出することが可能となる。
【００６０】
また、上記実施形態では、各腕輪１１０がそれぞれ固有のＩＤを担持しており、これにグループコードを割り当てることによってグループ化を行っている。しかしながら、本発明において、各腕輪１１０が固有のＩＤを担持していることは必須でなく、グループコードのみを担持していても構わない。
【００６１】
また、上記実施形態では、無線センサ１３１〜１３５によって各利用者の所在地を検出しているが、例えば、脱衣場２１１，２１２のロッカー２５０にそれぞれセンサを設けておき、ロッカー鍵１１９による開閉動作に基づいて利用者の所在地を検出することも可能である。つまり、本発明において、無線センサを利用することは必須でない。
【００６２】
また、上記実施形態では、腕輪１１０にＩＤを担持させているが、各利用者にＩＤやグループコードを担持させる方法としてはこれに限定されるものではない。但し、利用者との物理的な分離を防止するためには、首掛け式（ネックレス式）ではなく、腕輪や足輪のように利用者との物理的な分離を確実に防止可能な構成とすることが好ましい。
【００６３】
また、上記実施形態では、腕輪１１０にロッカー鍵１１９を組み込んでいるが、本発明においてこれは必須でない。
【図面の簡単な説明】
【００６４】
【図１】本発明の好ましい実施形態による利用者連絡システム１００の主要部の構成を模式的に示す図である。
【図２】腕輪１１０の外観の一例を示す概略図である。
【図３】利用者連絡システム１００の適用が好適な大規模公衆浴場施設２００の構成を模式的に示す図である。
【図４】利用者連絡システム１００によるグループ化処理を説明するためのフローチャートである。
【図５】記憶部１６３に保存されるデータテーブル１６３ａの構造を示す図である。
【図６】利用者連絡システム１００による所在地通知処理を説明するためのフローチャートである。
【図７】他の例による腕輪１１０の外観を示す概略図である。
【図８】さらに他の例による腕輪１１０の外観を示す概略図である。
【図９】さらに他の例による腕輪１１０の外観を示す概略図である。
【図１０】ゲート２７１〜２７４にセンサを設けた例による大規模公衆浴場施設２００の構成を模式的に示す図である。
【符号の説明】
【００６５】
１００      利用者連絡システム
１１０      腕輪
１１１      無線ＩＣタグ
１１２      無線受信部
１１３      表示部
１１３ａ〜１１３ｃ，１１４ａ〜１１４ｃ    ランプ
１１５      表示スイッチ
１１９      ロッカー鍵
１２０      タグリーダ
１３１〜１３５    無線センサ
１４０      送信機
１５０      操作端末
１６０      サーバ
１６１      グループ化処理部
１６２      グループ通知部
１６３      記憶部
１６３ａ    データテーブル
１９０      ネットワーク
２００      大規模公衆浴場施設
２０１，２０２    浴室
２１１，２１２    脱衣場
２２０      休憩所
２３０      入浴設備
２３０      休憩所
２４０      洗い場
２５０      ロッカー
２６０      トイレ
２７１〜２７４    ゲート
【図１】
2008040634.tif 000003
【図２】
2008040634.tif 000004
【図３】
2008040634.tif 000005
【図４】
2008040634.tif 000006
【図５】
2008040634.tif 000007
【図６】
2008040634.tif 000008
【図７】
2008040634.tif 000009
【図８】
2008040634.tif 000010
【図９】
2008040634.tif 000011
【図１０】
2008040634.tif 000012